(57)【特許請求の範囲】
【請求項１】
映像情報を記録する情報記録媒体と、該情報記録媒体に情報を記録する為の制御を行う映像情報記録制御部とからなる映像情報記録装置において、
映像情報ファイルと該映像情報ファイルを管理する第１のディレクトリと、前記映像情報に関連する情報ファイルを管理する第２のディレクトリからなり、前記映像情報から、前記第２のディレクトリが管理する前記映像情報に関連する情報ファイルを参照する為の情報を前記映像情報に付加したことを特徴とする情報記録媒体を用いた映像情報記録装置。
【請求項２】
映像情報ファイルと該映像情報ファイルを管理する第１のディレクトリと、前記映像情報に関連する情報ファイルを管理する第２のディレクトリとが記録された情報記録媒体と、該情報記録媒体から情報を読み出す為の制御を行う映像情報再生制御部からなる映像情報再生装置において、
前記映像情報に付加された前記第２のディレクトリが管理する前記映像情報に関連する情報ファイルを参照する為の情報を用いて、前記映像情報から、前記第２のディレクトリが管理する前記映像情報に関連する情報ファイルを参照することを特徴とする情報記録媒体を用いた映像情報再生装置。
【請求項３】
請求項１に記載の映像情報記録装置または請求項２に記載の映像情報再生装置であって、前記第２のディレクトリが管理する前記映像情報に関連する情報ファイルを参照する為の前記情報に、１つまたは複数のメーカ情報が少なくとも含まれていることを特徴とする映像情報記録装置または映像情報再生装置。
【請求項４】
請求項１に記載の映像情報記録装置または請求項２に記載の映像情報再生装置であって、前記第２のディレクトリが管理する前記映像情報に関連する情報ファイルを参照する為の前記情報に、前記映像情報ファイルが記録された日付および時刻の情報が少なくとも含まれていることを特徴とする映像情報記録装置または映像情報再生装置。
【請求項５】
請求項１に記載の映像情報記録装置または請求項２に記載の映像情報再生装置であって、前記第２のディレクトリが管理する前記映像情報に関連する情報ファイルを参照する為の前記情報に、前記映像情報ファイルが前記映像情報記録装置によって記録された、あるいは前記映像情報再生装置によって再生された回数の情報が少なくとも含まれていることを特徴とする映像情報記録装置または映像情報再生装置。
【請求項６】
請求項１に記載の映像情報記録装置または請求項２に記載の映像情報再生装置であって、前記第２のディレクトリが管理する前記映像情報に関連する情報ファイルが複数あることを特徴とする映像情報記録装置または映像情報再生装置。
【発明の詳細な説明】
【０００１】
【発明の属する技術分野】
本発明は、映像情報記録装置並びに再生装置に関し、特に小型の光ディスクを情報記録媒体とする映像情報記録装置並びに再生装置と、それに使用する光ディスクに関するものである。
【０００２】
【従来の技術】
近年の、光ディスク装置の記録密度の向上は著しく、単位面積当たりのユーザが使用可能なデータの記録密度は年率40％で向上している。その結果、１２ｃｍの直径の光ディスクを使用するＤＶＤ（デジタルバーサタイルディスク）システムでは、ＤＶＤ−ＲＯＭ（リードオンリーメモリー：追記録不可）として片面４.7GBのデータの記録が可能であり、一度だけ追記録ができるＤＶＤ−Ｒとして同じく３．９ＧＢのデータが記録可能であり、さらにＤＶＤ−ＲＡＭ（ランダムアクセスメモリ:何度でも書き換え可）として２．６ＧＢのデータが記録可能なシステムが開発されている。
【０００３】
一方、画像処理技術の進展により動画像を画質劣化を少なく情報量を削減する画像情報圧縮技術も著しく進展した。特にＭＰＥＧ（モーションピクチャーエキスパートグループ）によるＭＰＥＧ２画像圧縮アルゴリズムの実用化により４〜５Ｍｂｐｓの低レートで十分な画質の動画像の記録再生が可能になった。
【０００４】
その結果、上記した４．７ＧＢのＤＶＤのＲＯＭに2時間以上の動画像の記録が可能になり、そのようなディスクを使用したＤＶＤビデオプレーヤが発売されるにいたった。
【０００５】
このように、光ディスクに長時間の動画像が記録できるようになったことから、さらに小さな光ディスクを用いた装置での実用上十分な時間の動画像の記録が可能となってきている。
【０００６】
本発明は以上の状況を背景になされたもので、小型（たとえば直径が8ｃm）の光ディスクを用いた小型の映像記録再生装置を実現することを目的としている。また、ユーザの使い勝手の向上も目的としている。
【０００７】
【発明が解決しようとする課題】
このような映像情報の記録再生装置においては、 DVDビデオプレーヤで再生できる映像情報は、ＤＶＤビデオ規格によりディレクトリと、映像圧縮方式（ＭＰＥＧ）が決められている。そのため、ＤＶＤビデオ規格以外の情報を参照したり、ＤＶＤビデオ規格以外の映像圧縮方式の映像情報が再生出来なかった。
【０００８】
そこで、第1の課題は、 ＤＶＤビデオ規格によるディレクトリが管理するファイルから、他のディレクトリが管理するファイルを参照できるようにすることである。
【０００９】
第２の課題は、 ＤＶＤビデオ規格によるＭＰＥＧ圧縮方式と異なる圧縮方式の映像情報を再生できるようにすることである。
【００１０】
【課題を解決するための手段】
第1の課題を解決するために、 ＤＶＤビデオ規格によるディレクトリが管理するファイルの中に、他のディレクトリが管理するファイルを参照できるように参照先情報を記録することにした。この方法により、他のディレクトリが管理するファイルを参照することが可能になった。
【００１１】
第2の課題を解決するために、光ディスク上に書かれる映像情報は、DVDビデオ規格によるＭＰＥＧ圧縮方式を記録することは勿論、異なる圧縮方式の映像情報も記録することにした。このため、いずれの圧縮方式の映像情報でも再生可能となった。
【００１２】
【発明の実施の形態】
以下、本発明の実施形態を図面を用いて説明する。
【００１３】
（実施形態１）
図1は、本発明の映像情報記録装置及び映像情報再生装置が一体となった映像情報記録再生装置について、そのブロック構成を示したブロック図である。
【００１４】
映像情報記録再生装置１００は、モータ１０１に装着された光ディスク１０２に対する記録動作と、装着された光ディスク１０２からの再生動作を行う。
記録動作のデータの流れは、操作部１０３からの記録開始指示をシステム制御部１０４が受け取り、システム制御部１０４の制御により、入力インタフェイス部１０５を介して外部入力装置１０６から入力された入力データを、バッファメモリ１０７に記憶し、記憶された入力データをデータエンコード部１０８でデータ処理してからデジタル信号処理部１０９、高周波増幅器（ＲＦアンプ）１１０を介して、レーザピックアップ（Ｐ．Ｕ．）１１１により、モータ１０１に装着された光ディスク１０２に記録する。
この記録動作を制御する部分を総称して映像情報記録制御部と呼んでいる。
【００１５】
また、再生動作のデータの流れは、モータ１０１に装着された光ディスク１０２のデータを、レーザピックアップ（Ｐ．Ｕ．）１１１により読み取り、高周波増幅器（ＲＦアンプ）１１０、デジタル信号処理部１０９を介して、データデコード部１１２よりデジタルデータとして出力され、システム制御部１０４の制御により、表示部１１３もしくは出力インタフェイス部１１４を介して、外部出力装置１１５に出力される。
【００１６】
サーボ信号処理部１１６は、ドライブメカ制御部１１７の制御により、高周波増幅器１１０からの信号に基づき、サーボ信号生成し、モータ１０１を制御する。ドライブメカ制御部１１７は、サーボ信号処理部１１６及びデジタル信号処理部１０９を制御し、光ディスク記録再生装置１００におけるドライブ制御を行う。
【００１７】
この再生動作を制御する部分を総称して映像情報再生制御部と呼んでいる。
【００１８】
表示部１１３は、本実施形態では、再生データを表示しているが、外部入力装置１０６からのデータをモニタするために用いることもできる。
【００１９】
外部入力装置１０６として、放送を受信するチューナや、デジタルカメラ等を想定している。外部入力装置１０６に画像入力カメラを用い、そのカメラと記録再生装置１００とを一体で構成すると、光ディスクによるカメラレコーダ（カムコーダ）を構築することができる。
【００２０】
外部出力装置１１５として、モニタテレビや、ビデオプリンター等の映像出力装置を想定している。単なる画像再生の場合は、 ＬＣＤによる小画面ではあるが、表示部１１３の表示でも画像確認することができる。
【００２１】
図２にディレクトリの構造を示す。
【００２２】
記録可能な光ディスクには、１個のルートディレクトリ２０１が存在し、そのサブディレクトリとして、ＤＶＤビデオ規格のディレクトリ２０２及びＤＶＤビデオ規格以外のディレクトリ２０３が存在する。 ＤＶＤビデオ規格以外のディレクトリは１個でも複数個でもよい。
【００２３】
ＤＶＤビデオ規格のディレクトリ２０２は、映像データファイル２０４、２０５を管理する。映像データファイルは１個でも複数個でもよい。
【００２４】
ＤＶＤビデオ規格以外のディレクトリ２０３は、高精細画像ファイル２０６、２０７を管理する。高精細画像ファイルは１個でも複数個でもよい。
【００２５】
尚、通常のＤＶＤビデオの光ディスク（ＲＯＭ）では、ＤＶＤビデオ規格以外のディレクトリ２０３は存在していないが、パソコン等によりディレクトリが構築されるので、図２のようなディレクトリ構造となる。
【００２６】
従来、この二つのディレクトリ間には、何ら参照関係がなかった。
【００２７】
図３に、ＤＶＤビデオ規格圧縮方式の映像データ記録領域の配置を示す。
【００２８】
ＤＶＤビデオ規格圧縮方式の映像データは、映像データ記録領域３０１に記録される。音声データがある場合は、音声データ記録領域３０２に記録される。通常、映像データと音声データは複数のセクタから構成され、更に音声画像の同期を取るため、この二つの領域はインターリーブして記録される。
【００２９】
本実施形態では、映像データ記録領域の前の領域に映像データ管理情報記録領域３０３を設けているが、映像データ管理情報記録領域３０３を設ける位置は映像データ記録領域の前の領域に限る必要はない。即ち、映像データ記録領域の後の領域に映像データ管理情報記録領域を設けてもよいし、あるいは映像データ管理情報記録領域と映像データ記録領域を分散多重的に配置してもよい。映像データ管理情報が、ＤＶＤビデオ規格圧縮方式映像データ記録領域内に映像データと共に存在してもよい。この映像データ管理情報記録領域３０３には、表１に示す様な映像データに関する管理情報を記録する。
【００３０】
【表１】
0004051776.tif 000002
【００３１】
識別コードは、この記録してあるセクタが映像データなのか音声データなのかを識別ためのコードであり、この映像データ管理情報の場合は、ＤＶＤビデオ規格で定義されている映像データや音声データの識別コード以外を設定している。ビットレートは映像データを表示するのに必要なデータ転送速度、カメラ情報は絞りやシャッタースピード等カメラ制御に必要なデータ、解像度はＤＶＤビデオ規格圧縮方式の解像度（７２０×４８０）、記録時刻は記録した秒単位の時刻、ＧＰＳ（Global Positioning System）は記録位置に関する位置情報、をそれぞれ示している。更に、本発明では、参照先アドレスを付加している。参照先アドレスは、このＤＶＤビデオ規格圧縮方式で記録されている映像データに関連する参照情報が、どこに記録されているか示す情報である。
【００３２】
また、本実施形態では、更に、サムネール用映像データ記録領域３０４を設けているが、サムネール用映像データ記録領域３０４を必ずしも設ける必要はない。
【００３３】
サムネール用映像データは、映像データから解像度を低下させて生成する。
【００３４】
このサムネール用映像データは、光ディスクに記録された画像の内容がどんなものであるかユーザにわかりやすくするために、画像の一部または全ての画像を、出力画面に多くの場合縮小して複数表示するものであり、本来の画像データに比べて解像度が悪くなっている。
【００３５】
１個の映像データ記録領域の前もしくは後の領域に、その映像データに関する１個のサムネール映像データを記録してもよいが、複数個の映像データ記録領域の前もしくは後の領域に、その映像データに関する複数個のサムネール映像データを記録してもよい。
【００３６】
映像データ管理情報記録領域３０３と、サムネール用映像データ記録領域３０４は、ＤＶＤビデオ規格ディレクトリが管理する映像データファイルの中に、物理的に記録されているが、論理的には、ＤＶＤビデオ規格ディレクトリが管理する映像データファイルの外にあるとして管理してもよい。
【００３７】
図４に、高精細映像データの記録領域の配置を示す。
【００３８】
高精細映像データは、高精細映像データ記録領域４０１に記録される。本実施形態では、高精細映像データ記録領域の前もしくは後の領域にサムネール用映像データ記録領域４０２を設けているが、サムネール用映像データ記録領域４０２を必ずしも設ける必要はない。
【００３９】
サムネール用映像データは、高精細映像データから解像度を低下させて生成する。
【００４０】
１個の高精細映像データ記録領域の前もしくは後の領域に、その高精細映像データに関する１個のサムネール映像データを記録してもよいが、複数個の高精細映像データ記録領域の前もしくは後の領域に、その高精細映像データに関する複数個のサムネール映像データを記録してもよい。
【００４１】
本発明に基づく、光ディスクへの映像データ記録方法を、図５のフローチャートを用いて説明する。
【００４２】
ステップ５００から開始し、外部入力装置、例えばカメラレコーダ（カムコーダ）からの入力画像を高精細画像として光ディスクのＤＶＤビデオ規格以外のディレクトリに高精細画像ファイルとして記録する（ステップ５０１）。カムコーダで記録する高精細画像の解像度は、ＤＶＤビデオ規格の映像（MPEG圧縮方式）の解像度（７２０×４８０）より高解像度であればよく、例えばJPEG（Joint Photograph Expert Group）などの圧縮方式を用いた高精細画像（１０２４×７６８）であればよい。この際、サムネール用映像データを高精細映像データから生成し、記録する。
【００４３】
ＤＶＤビデオ規格の映像データに付加する記録時刻、カメラ情報、解像度などの映像データ管理情報を生成する（ステップ５０２）。その際、高精細画像への参照先情報（高精細画像ファイルのアドレス）を映像データ管理情報に付加する。
【００４４】
ステップ５０２により生成された映像データ管理情報を、光ディスク上の、 ＤＶＤビデオ規格の映像データ記録領域に付加された本発明の映像データ管理情報記録領域に記録する（ステップ５０３）。この際、サムネール用映像データを映像データから生成し、記録する。
【００４５】
高精細画像データからＤＶＤビデオ規格の映像データに変換した後（ステップ５０４）、ステップ５０３で記録した映像データ管理情報記録領域の後の領域に、ＤＶＤビデオ規格の映像データを記録し（ステップ５０５）、終了する（ステップ５０６）。
【００４６】
ここでは、 ＤＶＤビデオ規格の映像データを映像データ管理情報記録領域の後の領域に記録すると説明したが、別にこれに限る必要は無く、例えばＤＶＤビデオ規格の映像データを映像データ管理情報記録領域の前の領域に記録してもよい。
【００４７】
図５のフローには示していないが、ステップ５０５で記録されたＤＶＤビデオ規格の映像データの記録位置などを示す映像データへの参照先情報を、高精細画像ファイルの中に記録するステップを付加してもよい。これにより、相互に情報が参照できることになる。
【００４８】
このようなフローで映像データを光ディスクに記録する。
【００４９】
本発明に基づいて光ディスクへ記録された映像データの再生方法を、図６のフローチャートを用いて説明する。
【００５０】
ステップ６００から開始し、ステップ６０１で、光ディスクに図５のフローで記録されていた映像データが読み込まれる。ステップ６０１で読み込まれた映像データが出力画面、たとえばディスプレイに表示されるのがステップ６０２である。
【００５１】
ステップ６０２で映像が表示されたときに、ユーザがENTER KEYを入力する（ステップ６０３）と、ステップ６０４に進む。ここでENTER KEYの入力は、ユーザが、表示された映像のより解像度の高い映像データ、すなわち図５のステップ５０１で記録された高精細映像データを見たいときに、高精細映像データを表示させるという役割を持たされている。
【００５２】
ステップ６０４では、ステップ６０２で表示された映像の映像データ記録領域の前の領域に、図５のステップ５０３で記録された映像データ管理情報記録領域が存在し、かつその映像データ記録領域の中に参照先アドレスの情報があるか判断する。参照先アドレスの情報があればステップ６０５に進み、なければステップ６０３の入力待ちとなる。
【００５３】
ステップ６０５では、参照先アドレスの情報が示す光ディスク上の位置に高精細映像データが実在するか判断し、高精細映像データが実在すればステップ６０６に進み、実在しなければステップ６０３の入力待ちとなる。
【００５４】
ステップ６０６で高精細映像データを読み込み、ステップ６０７で高精細映像データがユーザに対して表示される。高精細映像データが表示された後では、ステップ６０３の入力待ちとなる。
【００５５】
ステップ６０３でENTER KEYが入力されない場合には、ステップ６０８のEND KEY入力が可能となる。ステップ６０８でEND KEYが入力されると映像データの表示が終了する。
【００５６】
ステップ６０８でEND KEYが入力されない場合には、ステップ６１０のNEXT KEY入力が可能となる。ステップ６１０でNEXT KEYが入力されると、ステップ６１１に進み、次の映像データがあるか判断される。次の映像データがあれば次の映像データを読み込み（ステップ６１２）、次の映像データが表示される（ステップ６０２）が、なければステップ６０９で終了となる。
【００５７】
ステップ６１０でNEXT KEYが入力されない場合には、ステップ６０３のENTER KEY入力が可能となる。
【００５８】
このようなフローで、本発明に基づいて光ディスクへ記録された映像データを再生する。
【００５９】
本実施形態では、サムネール用映像データをＤＶＤビデオ規格の映像データからと、高精細映像データからそれぞれ生成し、記録している。
【００６０】
本発明に基づいて光ディスクへ記録された映像データを、サムネール画像を用いて再生する方法を、図７のフローチャートを用いて説明する。
【００６１】
ここで用いるサムネール画像は、ＤＶＤビデオ規格の映像データから生成し、記録したサムネール画像である。
【００６２】
ステップ７００から開始し、ステップ７０１で、光ディスクに図５のフローで記録されていたサムネール画像データが読み込まれる。ステップ７０１で読み込まれたサムネール画像データを出力画面、たとえばディスプレイ上の指定の位置に表示するのがステップ７０２である。
【００６３】
ステップ７０３では、表示画面上に、指定した数のサムネール画像データが表示完了したかどうかを判断する。指定した数のサムネール画像データが表示完了した場合は、ステップ７０４に移行し、指定した数のサムネール画像データが表示完了しない場合は、ステップ７０５へ移行する。
【００６４】
１画面に表示出来るサムネール画像データの数は、サムネール画像データの解像度と、表示画面の解像度の関係で決定される。例えば、サムネール画像データの解像度が、表示画面の１／１６の解像度であれば、最大１６個のサムネール画像データが表示できることとなる。
【００６５】
ステップ７０５では、次のサムネール画像データがあるかどうかを判断する。次のサムネール画像データがあれば次のサムネール画像データを読み込み（ステップ７０６）、サムネール画像データが指定位置に表示される（ステップ７０２）が、なければステップ７０４の入力待ちとなる。
【００６６】
ステップ７０４では、ユーザが、ディスプレイ上に表示されたサムネール画像の中から、画像として表示したいサムネール画像を選択する。サムネール画像が選択されるとステップ７０７に進む。
【００６７】
ステップ７０７では、ステップ７０４で選択したサムネール画像に対応する映像データに図５のステップ５０３で記録された映像データ管理情報記録領域が存在し、かつその映像データ記録領域の中に参照先アドレスの情報があるかどうかを判断する。参照先アドレスの情報があればステップ７０８に進み、なければステップ７１１に進む。
【００６８】
ステップ７０８では、参照先アドレスの情報が示す光ディスク上の位置に高精細映像データが実在するか判断し、高精細映像データが実在すればステップ７０９に進み、実在しなければステップ７１１に進む。
【００６９】
ステップ７０９で高精細画像データを読み込み、ステップ７１０で高精細画像データがユーザに対して表示される。前記高精細画像データが表示された後では、ステップ７０４のサムネール画像選択が可能となる。
【００７０】
ステップ７１１では、高精細画像データが無かった場合の処理で、ＤＶＤビデオ規格のサムネール画像に対応する映像データを読み込む。そしてステップ７１２で映像データを一定時間表示後、もしくはユーザの指示により、ステップ７０４のサムネール画像選択のステップに戻る。
【００７１】
ステップ７０４で高精細画像として表示したいサムネール画像の選択入力がされない場合には、ステップ７１３のEND KEY入力が可能となる。ステップ７１３でEND KEYが入力されると前記サムネール画像データの表示が終了する。
【００７２】
ステップ７１３でEND KEYが入力されない場合には、ステップ７１５のNEXT KEY入力が可能となる。ステップ７１５でNEXT KEYが入力されると、ステップ７１６に進み、次のサムネール画像データがあるか判断される。次のサムネール画像データがあれば前記データを読み込み（ステップ７１７）、サムネール画像データが表示される（ステップ７０２）が、なければステップ７０４のサムネール画像選択画面が表示されたまま、選択入力が可能となる。
【００７３】
ステップ７１５でNEXT KEYが入力されない場合には、ステップ７０４のサムネール画像選択画面が表示されたまま、選択入力が可能となる。
【００７４】
このようなフローで、本発明に基づいて光ディスクへ記録された映像データを、サムネール画像を用いて再生する。
【００７５】
高精細映像データから生成したサムネール画像を用いると、そのサムネール画像から選択される画像は、全て高精細画像であることを意味する。
【００７６】
本実施形態では、参照先の情報ファイルとして、高精細画像ファイルを想定したが、文字情報ファイルや、サムネールファイル、その他関連すべき情報ファイルであれば、何でもよい。
【００７７】
また、本実施形態では、参照先の情報ファイルは、ＤＶＤビデオ規格のディレクトリとは別なＤＶＤビデオ規格以外のディレクトリで管理されているが、 ＤＶＤビデオ規格のディレクトリの中にサブディレクトリを設けて、その中で管理することもできる。
【００７８】
（実施形態２）
本実施形態は、実施形態１における、映像データ管理情報記録領域３０３に表１に示すような映像データに関する管理情報を記録する代わりに、３０３に表２に示すような映像データ管理情報２を記録する。
【００７９】
【表２】
0004051776.tif 000003
【００８０】
識別コードやビットレート、カメラ情報、解像度、記録時刻、ＧＰＳ、参照先アドレスに関しては、表１で説明した内容と同じものである。アクセス履歴は、映像データ記録領域３０１に記録された映像データが、再生された回数を示す。あるいは、アクセス履歴に、前記映像データが最後に再生された時の日付と時刻を記録するようにしてもよい。さらに、前記映像データが記録されてから再生されるたびにその時の日付と時刻をアクセス履歴に記録してもよい。また、映像データ管理情報記録領域３０３用に確保されたサイズを越えてアクセス履歴を記録したい場合には、表２には示していないが、映像データ管理情報記録領域３０３に、アクセス履歴が継続することを示す継続コードと、アクセス履歴が継続して記録されている位置を示すアドレスを記録してもよい。
【００８１】
メーカコードは映像データ記録領域３０１に記録された映像データが、どこのメーカ製の記録装置で記録された映像データかを示すコードである。サイズ情報は、映像データ管理情報記録領域３０３に記録される内容のうち、サイズ情報より後に記録される情報、例えば、表２に示された内容でいえば参照先アドレスとテキスト、のサイズを示す。参照先アドレスは固定長（表２では６４バイト）なので、サイズ情報からテキストのサイズを導き出すことが可能となり、参照先アドレスとテキストの区切りがどこにあるか見つけることができる。
【００８２】
テキストは、映像データ記録領域３０１に映像データを記録する際、または記録した後に追記として、各メーカ製の記録装置で独自に設定して書き込むことができるデータ領域である。映像データ管理情報記録領域３０３用に保証されている最大サイズから、表２に示した内容のうちテキスト以外の内容が占めるサイズを除いたサイズまで自由にテキストのサイズをとることができる。また、テキスト用の最大サイズを越えてテキストを記録したい場合には、表２には示していないが、映像データ管理情報記録領域３０３に、テキストが継続することを示す継続コードと、テキストが継続して記録されている位置を示すアドレスを記録してもよい。なお、ここでは前記データ領域に記録するのはテキストとして説明したが、テキスト形式データに限る必要はなく、例えばバイナリ形式データのようなものでも構わず、特に限定されない。
【００８３】
表２には各内容に対するバイト数を表示しているが、バイト数をこれに限る必要はない。また、表２に示したアクセス履歴やメーカコード、テキストなどの各内容は一例としてあげたに過ぎず、これに限るものではない。
【００８４】
（実施形態３）
本実施形態は、実施形態１における、映像データ管理情報記録領域３０３に表１に示すような映像データに関する管理情報を記録する代わりに、３０３に表３に示すような映像データ管理情報３を記録する。
【００８５】
【表３】
0004051776.tif 000004
【００８６】
識別コードやビットレート、カメラ情報、解像度、記録時刻、ＧＰＳに関しては、表１で説明した内容と同じものである。また、アクセス履歴やメーカコード、テキストに関しては、表２で説明した内容と同じものである。参照先アドレス１、参照先アドレス２、・・・、参照先アドレスｎ（ｎは自然数）については、それぞれは表１で説明した参照先アドレスと同じ内容のものであるが、１つの映像データ管理情報の中に複数の参照先アドレスが含まれていることを示している。これらは、ＤＶＤビデオ規格で記録されている一つの映像データに関連する参照情報が複数あって、それぞれがどこに記録されているかを示す情報である。
【００８７】
サイズ情報は、映像データ管理情報記録領域３０３に記録される内容のうち、サイズ情報より後に記録される情報、例えば、表３に示された内容でいえば参照先アドレス１から参照先アドレスｎまでとテキスト、のサイズを示す。参照先アドレスの数は、この映像データ管理情報の中に記録されている参照先アドレスの数、すなわちｎの具体的な値を示す。各参照先アドレスは固定長（表３では６４バイト）なので、サイズ情報と参照先アドレスの数からテキストのサイズを導き出すことが可能となり、参照先アドレスｎとテキストの区切りがどこにあるか見つけることができる。
【００８８】
表３には各内容に対するバイト数を表示しているが、バイト数をこれに限る必要はない。また、表３に示したアクセス履歴やメーカコード、テキストなどの各内容は一例としてあげたに過ぎず、これに限るものではない。
【００８９】
（実施形態４）
本実施形態は、実施形態１における、映像データ管理情報記録領域３０３に表１に示すような映像データに関する管理情報を記録する代わりに、３０３に表４に示すような映像データ管理情報４を記録する。
【００９０】
【表４】
0004051776.tif 000005
【００９１】
識別コードやビットレート、カメラ情報、解像度、記録時刻、ＧＰＳに関しては、表１で説明した内容と同じものである。また、アクセス履歴に関しては、表２で説明した内容と同じものである。メーカコードｎ、参照先アドレスｎ、テキストｎ（ただし、ｎは自然数）については、それぞれは表１や表２で説明したメーカコード、参照先アドレス、テキストそれぞれと同じ内容のものである。これらは、映像情報記録再生装置１００によって光ディスク１０２に映像データを記録したり、映像データに関連する参照情報を追記したりしたときに、その作業に用いた映像情報記録再生装置のメーカ固有のメーカコードｎと、その作業時に書き加えたテキスト形式データとしてのテキストｎと、映像データに関連する参照情報としての参照先アドレスｎとを組み合わせて記録される。もちろん、一つの映像データに関連する参照情報が複数あって、それぞれがどこに記録されているかを示す参照先アドレスが複数あってもよい。
【００９２】
映像データに関連する参照情報が複数メーカの映像情報記録装置によって複数回追記されると、メーカコードｎと参照先アドレスｎ、テキストｎの組み合わせ情報がどんどん増えて映像データ管理情報記録領域３０３に記録されていく。また、映像データ管理情報記録領域３０３用に確保されたサイズを越えてメーカコードｎと参照先アドレスｎ、テキストｎの組み合わせ情報を記録したい場合には、表４には示していないが、映像データ管理情報記録領域３０３に、組み合わせ情報が継続することを示す継続コードと、組み合わせ情報が継続して記録されている位置を示すアドレスを記録してもよい。サイズ情報は、映像データ管理情報記録領域３０３に記録される内容のうち、サイズ情報より後に記録される情報、例えば、表４に示された内容でいえばメーカコード１からテキストｎまで、のサイズを示す。
【００９３】
表４には各内容に対するバイト数を表示しているが、バイト数をこれに限る必要はない。また、表４に示したアクセス履歴やメーカコード、テキストなどの各内容は一例としてあげたに過ぎず、これに限るものではない。
【００９４】
（実施形態５）
本実施形態は、実施形態１における、映像データ管理情報記録領域３０３に表１に示すような映像データに関する管理情報を記録する代わりに、３０３に表５に示すような映像データ管理情報５を記録する。
【００９５】
【表５】
0004051776.tif 000006
【００９６】
識別コードやビットレート、カメラ情報、解像度、記録時刻、ＧＰＳに関しては、表１で説明した内容と同じものである。また、アクセス履歴に関しては、表２で説明した内容と同じものである。メーカコードｎ、参照先アドレスｎ、テキストｎ（ただし、ｎは自然数）については、それぞれは表１や表２で説明したメーカコード、参照先アドレス、テキストそれぞれと同じ内容のものである。
【００９７】
ポインタｎは、映像情報記録再生装置１００によって光ディスク１０２に映像データを記録したり、映像データに関連する参照情報を追記したりしたときに、その作業に用いた映像情報記録再生装置のメーカ固有のメーカコードｎと、その作業時に書き加えたテキスト形式データとしてのテキストｎと、映像データに関連する参照情報としての参照先アドレスｎとを組み合わせて記録するときに、参照先アドレスｎがどこから始まるかを示す。もちろん、一つの映像データに関連する参照情報が複数あって、それぞれがどこに記録されているかを示す参照先アドレスが複数あってもよい。
【００９８】
映像データに関連する参照情報が複数メーカの映像情報記録装置によって複数回追記されると、メーカコードｎとポインタｎ、参照先アドレスｎ、テキストｎの組み合わせ情報がどんどん増えて映像データ管理情報記録領域３０３に記録されていく。また、映像データ管理情報記録領域３０３用に確保されたサイズを越えてメーカコードｎとポインタｎ、参照先アドレスｎ、テキストｎの組み合わせ情報を記録したい場合には、表５には示していないが、映像データ管理情報記録領域３０３に、組み合わせ情報が継続することを示す継続コードと、組み合わせ情報が継続して記録されている位置を示すアドレスを記録してもよい。
【００９９】
サイズ情報は、映像データ管理情報記録領域３０３に記録される内容のうち、サイズ情報より後に記録される情報、例えば、表５に示された内容でいえばメーカコード１からテキストｎまで、のサイズを示す。
【０１００】
表５には各内容に対するバイト数を表示しているが、バイト数をこれに限る必要はない。また、表５に示したアクセス履歴やメーカコード、テキストなどの各内容は一例としてあげたに過ぎず、これに限るものではない。
【０１０１】
【発明の効果】
本発明によれば、 ＤＶＤビデオ規格によるディレクトリが管理するファイルの中から、他のディレクトリが管理するファイルを参照することが可能になった。
【０１０２】
また、光ディスク上に記録される映像情報は、DVDビデオ規格によるＭＰＥＧ圧縮方式を記録することは勿論、異なる圧縮方式の映像情報も記録し、その参照関係が明確になるので、いずれの圧縮方式の映像情報でも再生可能となった。
【図面の簡単な説明】
【図１】本発明の映像信号記録装置および映像信号再生装置のブロック図である。
【図２】ディレクトリ構造図である。
【図３】ＤＶＤ規格圧縮方式映像データ記録領域を説明するための説明図である。
【図４】高精細映像データ記録領域を説明するための説明図である。
【図５】映像データ記録手順を示すフローチャートである。
【図６】映像データ再生手順を示すフローチャートである。
【図７】サムネール画像を用いて、映像データを選択再生する手順を示すフローチャートである。
【符号の説明】
１００…映像信号記録再生装置、１０２，３０１…光ディスク、１０３…操作部、１０８…データエンコード部、１１２…データデコード部、１１３…表示部、２０１…ルートディレクトリ、２０２…ＤＶＤビデオ規格のディレクトリ、２０３…ＤＶＤビデオ規格以外のディレクトリ、２０４,２０５…映像データファイル、２０６,２０７…高精細画像ファイル、３０３…映像データ管理情報記録領域、３０４,４０２…サムネール用映像データ記録領域。
【図１】
0004051776.tif 000007
【図２】
0004051776.tif 000008
【図３】
0004051776.tif 000009
【図４】
0004051776.tif 000010
【図５】
0004051776.tif 000011
【図６】
0004051776.tif 000012
【図７】
0004051776.tif 000013